(57)【要約】    【課題】  乗客の乗り降りを迅速に行い、予定通りのスケジュールで運行を行うことができるワンマン車両の運賃授受システムを提供する。    【解決手段】  ワンマン車両の運賃授受システムにおいて、ワンマン車両の運賃授受装置において、車両の入口に配置される整理券発行機１１Ａと、車両内に配置されるとともに、整理券から乗車駅を読み取り、各種券の確認と目的地の指定を行い、かつ降車券を発行する目的地指定・降車券発券・精算機１２〜１５と、この目的地指定・降車券発券・精算機１２〜１５からの目的地情報を収集し、表示する停車情報表示装置１６と、車両の第１の出口１７に配置され、前記降車券の記録と合致する適正な降車駅か否かをチェックする降車券照合機１９とを具備する。【選択図】図１
2006309277.tif 000002
【特許請求の範囲】
【請求項１】
車両内において乗客が乗車してから目的地に到達するまでの時間帯に精算を可能にする整理券発行機及び目的地指定・降車券発券・精算機を配置するとともに、乗客の目的地を運転席近傍の停車情報表示装置に表示可能にし、第１の出口において降車券照合機により適正な降車駅であるか否かを確認するようにしたことを特徴とするワンマン車両の運賃授受方法。
【請求項２】
請求項１記載のワンマン車両の運賃授受方法において、車両内に複数の目的地指定・降車券発券・精算機を配置し、ラッシュ時の円滑な処理を可能にすることを特徴とするワンマン車両の運賃授受方法。
【請求項３】
請求項１又は２記載のワンマン車両の運賃授受方法において、当該システムを利用できない乗客や前記降車券照合機におけるアラームが発生した乗客のための第２の出口を配置したことを特徴とするワンマン車両の運賃授受方法。
【請求項４】
（ａ）車両の入口に配置される整理券発行機と、
（ｂ）車両内に配置されるとともに、投入された整理券から乗車駅を読み取り、各種券の確認と目的地の指定を行い、かつ降車券を発行する目的地指定・降車券発券・精算機と、
（ｃ）該目的地指定・降車券発券・精算機からの目的地情報を収集し、表示する停車情報表示装置と、
（ｄ）車両の第１の出口に配置され、前記降車券の記録と合致する適正な降車駅か否かをチェックする降車券照合機とを具備することを特徴とするワンマン車両の運賃授受システム。
【請求項５】
請求項４記載のワンマン車両の運賃授受システムにおいて、前記目的地指定・降車券発券・精算機を車両内の複数の箇所に配置して、ラッシュ時にも対応できるようにしたことを特徴とするワンマン車両の運賃授受システム。
【請求項６】
請求項４又は５記載のワンマン車両の運賃授受システムにおいて、前記車両の出口として、運転士の席から離れた位置にある第１の出口と運転士の席に近い位置にある第２の出口とを配置し、前記第１の出口に降車券照合機を配置することを特徴とするワンマン車両の運賃授受システム。
【請求項７】
請求項６記載のワンマン車両の運賃授受システムにおいて、前記第２の出口を当該システムを利用できない乗客や前記降車券照合機におけるアラームが発生した乗客のための精算通路としたことを特徴とするワンマン車両の運賃授受システム。
【発明の詳細な説明】
【技術分野】
【０００１】
本発明は、路面電車やバス、郊外鉄道のワンマン車両の運賃授受方法及びそのシステムに関するものである。
【背景技術】
【０００２】
近年、路面電車やバス、郊外鉄道等のワンマン車両は、マイカーに代わる自然に優しい便利な住民の足として、その利用が見直されようとしている。従来、そのようなワンマン車両には各種の乗車券、定期券、回数券を有する乗客や何も所持しない乗客が乗車することになるため、乗客の下車時に運転士が乗車券の有無など乗車態様の異なる乗客にそれぞれ対応してチェック又は乗車料金の徴収を行い、下車を許可するようにしている。
【特許文献１】なし
【発明の開示】
【発明が解決しようとする課題】
【０００３】
しかし、一般的に車内の料金表示は次駅までの精算額が表示されるシステムになっているため、さらに先の区間まで利用する乗客は自分の目的地までの料金を直前まで知り得ず、自分の降車する駅や停留所直前になって初めてその精算金額を準備することになる。従って、両替等も伴って、降車精算に要する時間を延伸し、停車時間をも延伸してしまうことになる。
【０００４】
すなわち、乗客は、降車直前の料金表示まではただ乗車しているだけの時間を過ごし、結局降車時に慌ただしく精算することになる。これは、改札の無い無人駅や無人停留所から乗車する乗客、また、目的地までの切符を持たず、乗り越しを行う乗客の全てが該当する。
【０００５】
これに対して、有人駅や有人停留所で目的地まで切符を購入している乗客の場合も、本来ならば精算の必要がなく目的地で速やかに降車できるはずが、精算が必要な乗客の後列になると自身の降車時間も遅れてしまうことになる。
【０００６】
また、ワンマン車両においては運転士が乗車態様の異なる乗客にそれぞれ対応してチェックを行い下車を許可するようにしているため、各乗客の下車に時間がかかるため、予め乗客の下車に時間がかかることを考慮した遅延を見込んだ運転ダイヤを設定する必要があり、その分運行時間のばらつきと所要時間が長くなるといった問題があった。
【０００７】
また、時刻表通りにワンマン車両が運行できないため、利用者にとってはワンマン車両の一定な発着時間のめどがたたず、ワンマン車両の利用者離れの原因となるといった問題があった。
【０００８】
本発明は、上記状況に鑑みて、乗客の乗り降りを迅速に行い、運用区間の所要時間を短縮し、予定通りのスケジュールで運行を行うことができるワンマン車両の運賃授受方法及びそのシステムを提供することを目的とする。
【課題を解決するための手段】
【０００９】
本発明は、上記目的を達成するために、
〔１〕ワンマン車両の運賃授受方法において、車両内において乗客が乗車してから目的地に到達するまでの時間帯に精算を可能にする整理券発行機及び目的地指定・降車券発券・精算機を配置するとともに、乗客の目的地を運転席近傍の停車情報表示装置に表示可能にし、第１の出口において乗車券・定期券照合機により前記精算を確認するようにしたことを特徴とする。
【００１０】
〔２〕上記〔１〕記載のワンマン車両の運賃授受方法において、車両内に複数の目的地指定・降車券発券・精算機を配置し、配置ラッシュ時の円滑な処理を可能にすることを特徴とする。
【００１１】
〔３〕上記〔１〕又は〔２〕記載のワンマン車両の運賃授受方法において、当該システムを利用できない乗客や前記降車券照合機においてアラームが発生した乗客のための第２の出口を配置したことを特徴とする。
【００１２】
〔４〕ワンマン車両の運賃授受装置において、車両の入口に配置される整理券発行機と、車両内に配置されるとともに、整理券から乗車駅を読み取り、各種券の確認と目的地の指定を行い、かつ降車券を発行する目的地指定・降車券発券・精算機と、この目的地指定・降車券発券・精算機からの目的地情報を収集し、表示する停車情報表示装置と、車両の第１の出口に配置され、前記降車券の記録と合致する適正な降車駅か否かをチェックする降車券照合機とを具備する。
【００１３】
〔５〕上記〔４〕記載のワンマン車両の運賃授受システムにおいて、前記目的地指定・降車券発券・精算機を車両内の複数の箇所に配置して、ラッシュ時にも対応できるようにしたことを特徴とする。
【００１４】
〔６〕上記〔４〕又は〔５〕記載のワンマン車両の運賃授受システムにおいて、前記車両の出口として、運転士の席から離れた位置にある第１の出口と運転士の席に近い位置にある第２の出口とを配置し、前記第１の出口に降車券照合機を配置することを特徴とする。
【００１５】
〔７〕上記〔６〕記載のワンマン車両の運賃授受システムにおいて、前記第２の出口を当該システムを利用できない乗客や前記降車券照合機におけるアラームが発生した乗客のための精算通路としたことを特徴とする。
【発明の効果】
【００１６】
本発明によれば、次のような効果を奏することができる。
【００１７】
（１）乗車してから降車するまでの空いた時間を利用して、車内で乗車料金の精算を済ませて、降車券を取得して、出口にある降車券照合機でチェックを受けることにより、乗客の乗り降りを迅速に行い、運用区間の所要時間を短縮し、スケジュール通りの運行を可能とすることができる。
【００１８】
（２）様々な乗車形態にも迅速に対応可能であり、ワンマン車両の利用客の増加を見込むことができる。
【００１９】
すなわち、ワンマン車両は一般利用者の便利な足であるにもかかわらず、速達化やスケジュール通りの運行が確保できないといった問題があったが、本発明はかかる問題を解決することができ、ワンマン車両の利用者の増加を見込むことができる。
【発明を実施するための最良の形態】
【００２０】
本発明のワンマン車両の運賃授受システムは、車両の入口に配置される整理券発行機と、車両内に配置されるとともに、整理券から乗車駅を読み取り、各種券の確認と目的地の指定を行い、かつ降車券を発行する目的地指定・降車券発券・精算機と、この目的地指定・降車券発券・精算機からの目的地情報を収集し、表示する停車情報表示装置と、車両の第１の出口に配置され、前記降車券の記録と合致する適正な降車駅か否かをチェックする降車券照合機とを具備する。よって、乗客の乗り降りを迅速に行い、運用区間の所要時間を短縮し、予定通りのスケジュールで運行を行うことができる。
【実施例】
【００２１】
以下、本発明の実施の形態について詳細に説明する。
【００２２】
図１は本発明の実施例を示すワンマン車両の運賃授受システムの構成図である。
【００２３】
この図において、１は有人駅、２は乗換駅、３は有人停留所、４は無人駅、５は無人停留所、１０はワンマン車両〔ＬＲＴ（Ｌｉｇｈｔ  Ｒａｉｌ  Ｔｒａｎｓｉｔ）や乗合バス〕、１１はワンマン車両の入口、１１Ａはワンマン車両の入口に配置される整理券発行機、１２〜１５はワンマン車両の適当な位置に配置される目的地指定・降車券発券・精算機、１６は停車情報表示装置、１７はワンマン車両１０の第１の出口、１８はワンマン車両１０の第２の出口（運転士２０に近い側に配置）、１９はそのワンマン車両１０の第１の出口１７に配置される降車券照合機、１９Ａはその降車券照合機１９に設けられるアラーム装置、２０は運転士である。
【００２４】
なお、整理券発行機１１Ａ、降車券照合機１９においては、プログラムにより、各駅に対応した情報が提示されるようにし、整理券発行機１１Ａは、現在停車中の駅情報（乗車駅情報）を整理券に付与することができ、降車券照合機１９は降車券に記録された降車駅が、現在停車中の駅と合致しているか否かを自動照合できるように構成している。
【００２５】
なお、ワンマン車両１０には第１の出口１７の他に第２の出口１８を設けて、これを運転士２０に近い側に配置する。これは、本発明の運賃授受システムを利用できない老人や視覚障害者や、降車券照合機１９でアラーム装置１９Ａが作動して報知された乗客用の精算出口（精算通路）とするためであり、かかる場合には、例外的に運転士２０が対応して精算処理を行い、ワンマン車両１０の第２の出口１８からそれらの乗客を降車させるように構成している。
【００２６】
図２は本発明の実施例を示すワンマン車両の運賃授受システムの車両内に配置される目的地指定・降車券発券・精算機の模式図、図３は運転士が確認できる位置に配置される停車情報表示装置の模式図である。
【００２７】
このワンマン車両１０には、有人駅１で目的地（行先）までの乗車券６を購入済みの乗客（または、定期券や回数券などを所持している乗客）や、乗換駅２からの乗客で既に目的地までの乗車券７を持っている乗客や、有人停留所３で目的地までの乗車券８を購入済みの乗客（または定期券や回数券などを所持している乗客）や、無人駅４や無人停留所５からワンマン車両１０に乗り込み、目的地までの乗車券を持たず、ワンマン車両１０の車内で初めて乗車券を求める乗客が乗っている。また、そのワンマン車両１０の車内で初めて乗車券を求める乗客としては、現金で目的地までの乗車券を求める乗客、プリペイドカードでの支払いで目的地までの乗車券を求める乗客、定期券で乗車する乗客などまちまちである。
【００２８】
本発明の目的地指定・降車券発券・精算機１２〜１５は、これらの様々な乗車態様に対応できるように構成されている。
【００２９】
そこで、まず、全ての乗客は、乗車時に、整理券発行機１１Ａからの整理券を受け取る。これは適正な乗車駅を確定するために重要な意味を持っている。
【００３０】
（１）乗車券・定期券を持たずにワンマン車両１０に乗車する乗客は、その整理券を受け取り、これを目的地指定・降車券発券・精算機１２〜１５の各種券の投入口２１に投入する。なお、この整理券には乗車駅と日時などが記録されている。
【００３１】
次に、乗客に路線図付きのボタン２２で目的地を入力させ、料金表示部２３に表示する。その表示された料金が料金投入口から投入されると、発券口２６から降車券が発券される。この降車券には乗車駅、降車駅、日時などが記録されている。
【００３２】
（２）乗車券・定期券を有する乗客は、整理券とともに清算を要する乗車券、定期券を各種券の投入口２１に投入する。
【００３３】
目的地指定・降車券発券・精算機１２〜１５では、まず、乗車券、定期券の有効期限をチェックする。有効期限が切れている場合は、（１）と同じ処理を行う。
【００３４】
次に、投入された整理券の乗車駅情報を読み出し、乗車券、定期券の乗車区間と照合する。さらに、乗客に路線図付きのボタン２２で目的地駅を入力させ、その目的地と、乗車券、整理券の乗車区間と照合する。その結果、精算を要する場合〔目的地までの乗車券は持たないが途中までの乗車券（以下、清算を要する乗車券という）を所持している乗客、定期券の区間外から乗車する乗客、定期券の区分外で降車する乗客を含む〕は、料金が料金表示部２３に表示されるので、その表示された料金を料金投入口２４から投入すると、発券口２６から降車券が発券される。この降車券には、降車駅、降車駅、日時等が記録されている。
【００３５】
このように、目的地指定・降車券発券・精算機１２〜１５は乗客の目的地を指定することができるので、その目的地情報は、目的地指定・降車券発券・精算機１２〜１５から停車情報表示装置１６に送信されて、その停車情報表示装置１６に表示される。
【００３６】
降車時は、降車券を第１の出口１７の降車券照合機１９に投入することで適正な降車駅での降車であるか否かを照合されて、適正な降車駅であれば、降車ができる。適正でない場合はアラーム１９Ａが鳴り、運転士２０により精算が行われる。この時、出口１０，１１が２つあるため、後続の乗客は精算する乗客を待つことなくスムーズに降車することができる。
【００３７】
なお、精算に、プリペイドカードを利用するには、プリペイドカード投入口２５にプリペイドカードと整理券を投入し、目的地を入力すると、自動的に精算され、発券口２６から降車券が発券される。また、精算済のプリペイドカードは降車券とともに発券口２６から排出される。
【００３８】
なお、乗車駅・降車駅の適正判断をした結果、投入されたのが、精算する必要のない乗車券、定期券であった場合、速やかに降車券を発行し、上記同様に目的地情報が停止情報表示装置１６に送信される。
【００３９】
図３に示すように、停車情報表示装置１６には運行ルート中の駅、又は停留所が表示されており、目的地指定・降車券発券・精算機１２〜１５から送信される目的地情報に従って降車する乗客のある駅又は停留所を点灯表示する。この点灯の有無によって運転士２０は降車する乗客がいるか否かを知ることができる。
【００４０】
図４は本発明のワンマン車両の運賃授受システムの動作フローチャートである。
【００４１】
まず、全ての乗客は乗車時に整理券発行機からの整理券を受け取る（ステップＳ１）。
【００４２】
次に、乗車券・定期券を持っているか否かをチェックする（ステップＳ２）。
【００４３】
乗車券・定期券を持っていない場合には、整理券を目的地指定・降車券発券・精算機の各種券投入口へ投入する（ステップＳ３）。
【００４４】
次に、目的地指定・降車券発券・精算機のボタンで目的地駅を入力する（ステップＳ４）。
【００４５】
次に、乗車運賃の精算を行う（ステップＳ５）。
【００４６】
次に、乗車運賃の精算が済むと降車券が発券される（ステップＳ６）。
【００４７】
一方、ステップＳ１において、乗車券又は定期券を持っている場合には、定期券であるか否かをチェックする（ステップＳ７）。
【００４８】
ステップＳ７において、定期券でない（乗車券）である場合には、目的地指定・降車券発券・精算機の各種券投入口へ整理券と乗車券を投入する（ステップＳ８）。
【００４９】
次いで、目的地駅を入力する（ステップＳ９）。
【００５０】
次いで、その乗車券の乗車駅と降車駅が適正であるか否かをチェックする（ステップＳ１０）。
【００５１】
ステップＳ１０において、整理券と乗車券により乗車駅と降車駅が適正である場合には降車券が発券される（ステップＳ１１）。
【００５２】
ステップＳ１０において、適正でない場合には乗車運賃の精算を行い（ステップＳ１２）、精算が済むと降車券が発券される（ステップＳ１１）。
【００５３】
ステップＳ７において、定期券である場合、目的地指定・降車券発券・精算機の各種券投入口へ整理券と定期券を投入する（ステップＳ１３）。
【００５４】
次いで、目的地駅を入力する（ステップＳ１４）。
【００５５】
次に、その整理券と定期券により定期券の乗車駅と降車駅が適正であるか否かをチェックする（ステップＳ１５）。
【００５６】
ステップＳ１５において、乗車駅と降車駅が適正である場合には、定期券の返却とともに降車券が発行される（ステップＳ１６）。
【００５７】
ステップＳ１５において、その定期券の乗車駅と降車駅が適正でない場合には運賃の精算を行い（ステップＳ１７）、精算が済むと定期券の返却とともに降車券が発券される（ステップＳ１６）。
【００５８】
上記したいずれの降車券も、降車時に降車券照合機で降車駅が適正であるか否かをチェックする（ステップＳ１８）。
【００５９】
その結果、適正な降車駅である場合には、第１の出口から降車できる（ステップＳ１９）。
【００６０】
ステップＳ１８において、降車駅が適正でない場合には、アラームが発せられ（ステップＳ２０）、第２の出口で精算を行い（ステップＳ２１）、その精算が済むと第２の出口から降車できる（ステップＳ２２）。
【００６１】
また、上記した如何なる態様の乗車の場合でも、乗客の目的地は停車情報表示装置１６に表示されることになり、運転士は確実に適正な駅での停止を行うことができるとともに、特別の乗車の場合、つまり、本発明の運賃授受システムを利用できない老人や視覚障害者や、降車券照合機１９でアラーム装置１９Ａが作動して報知された乗客の場合を除き、運賃の授受の自動化を図ることができる。
【００６２】
このように構成することにより、全ての乗客は、乗車した後で目的地に到着するまでの余裕のある時間帯に、乗車券の精算や発券、乗車券や定期券の目的地の指定を行うことができ、ワンマン車両の乗り降りに要する時間を低減して、円滑なワンマン車両の運行を図ることができる。
【００６３】
また、運転士は各種の乗車態様の乗客の降車時の運賃の確認などに時間をかける必要がなくなり、運転士は専ら、乗客の目的地駅への的確な運行に注力することができる。一方、乗客にとっては、特に、降車時の処理が円滑になり、その分、乗り降りに要する時間を短縮できる。さらに、ワンマン車両の時刻表通りの運行が励行されることにより、利用客の増大を見込むことができる。
【００６４】
また、本発明の運賃授受システムを利用できない老人や視覚障害者のために、現行の降車報知機などを併用するようにしてもよい。
【００６５】
さらに、本発明はワンマン車両として説明しているが、通勤時、通学時や行楽シーズンなどには、ワンマン車両に臨時乗務員などを乗車させて、乗客への発券や降車時の精算を支援することができるシステムとすることは言うまでもない。  また、整理券発行機が定期券読取機を兼ねたり、定期券の乗客は乗車時に定期券読取機（降車券照合機と定期券照合機を兼ねている）に定期券を通すようにするようなこともできる。
【００６６】
なお、本発明は上記実施例に限定されるものではなく、本発明の趣旨に基づき種々の変形が可能であり、これらを本発明の範囲から排除するものではない。
【産業上の利用可能性】
【００６７】
本発明のワンマン車両の運賃授受システムは、運行を円滑にするとともに、運転士の作業を軽減できるワンマン車両の運賃授受システムとして利用可能である。
【図面の簡単な説明】
【００６８】
【図１】本発明の実施例を示すワンマン車両の運賃授受システムの構成図である。
【図２】本発明の実施例を示すワンマン車両の入口に配置される目的地指定・降車券発券・精算機の模式図である。
【図３】本発明の実施例を示す運転士が確認できる位置に配置される停車情報表示装置の模式図である。
【図４】本発明の実施例を示すワンマン車両の運賃授受システムの動作フローチャートである。
【符号の説明】
【００６９】
１    有人駅
２    乗換駅
３    有人停留所
４    無人駅
５    無人停留所
６〜８    目的地までの乗車券
１０    ワンマン車両（ＬＲＴや乗合バス）
１１    ワンマン車両の入口
１１Ａ    整理券発行機
１２〜１５    目的地指定・降車券発券・精算機
１６    停車情報表示装置
１７    ワンマン車両の第１の出口
１８    ワンマン車両の第２の出口（運転士に近い側に配置）
１９    降車券照合機
１９Ａ    アラーム装置
２０    運転士
２１    各種券の投入口
２２    路線図付きのボタン
２３    料金表示部
２４    料金投入部
２５    プリペイドカード投入口
２６    発券口
２７    釣銭排出口
【図１】
2006309277.tif 000003
【図２】
2006309277.tif 000004
【図３】
2006309277.tif 000005
【図４】
2006309277.tif 000006